(57)【特許請求の範囲】
【請求項１】
前面部および背面部を有し、前記前面部および背面部の周縁部のうち、上端部および両側端部が接続されることにより下端部側で開口した袋状の保温具であって、前記上端部の中央部には、人体の頭部が貫通できる大きさに形成されたネック部を有し、前記両側端部の上部側には、人体の腕が貫通できるように形成されたアーム部を有し、さらに、発熱体を収容するための複数のポケットを有する保持具と、
前記複数のポケットに発熱体を収容しかつ所定の大きさに折り畳まれた前記保温具を収容する袋と、を有し、
前記保温具は、前記発熱体が発熱するのを防ぐために、前記袋により真空パックされている、ことを特徴とする保温キット。
【請求項２】
可撓性の布から形成された前面部および背面部を有し、
前記前面部および背面部の周縁部のうち、上端部および両側端部が接続されることにより下端部側で開口した袋状の保温具であって、
前記上端部の中央部には、人体の頭部が貫通できる大きさに形成されたネック部を有し、
前記両側端部の上部側には、人体の腕が貫通できるように形成されたアーム部を有し、
前記前面部の表面には、空気に触れると発熱する発熱体を保持するためのポケットを複数有し、
前記前面部のポケット形成位置には、前記発熱体からの熱の前記保温具内部への取り込みを促すための穴が形成されている、ことを特徴とする保温具。
【請求項３】
前記ネック部は、前記前面部および背面部の上端部間に直線状に形成されている、ことを特徴とする請求項２に記載の保温具。
【請求項４】
前記アーム部に接続され、人体の腕の前記アーム部から突出する部分を覆うための筒状の袖部をさらに有することを特徴とする請求項２又は３に記載の保温具。
【請求項５】
前記保温具は、標準体型の人体（身長１７０ｃｍ程度、体重６０ｋｇ程度を仮定）に装着された状態で、当該人体の両膝を少なくとも被覆可能な寸法を有する、ことを特徴とする請求項２ないし４のいずれかに記載の保温具。
【請求項６】
前記複数のポケットは、
（１）前記発熱体を人体の腋窩付近に配置するために形成されたポケット、
（２）前記発熱体を人体の鼠径部から大腿部付近に配置するために形成されたポケット、
（３）前記発熱体を人体の骨の存在しない腹部付近に配置するために形成されたポケット、
の少なくともいずれかを含むことを特徴とする請求項２ないし５のいずれかに記載の保温具。
【請求項７】
前記複数のポケットは、人体の胸の真ん中付近に配置するために形成されたポケットを含むことを特徴とする請求項２ないし６のいずれかに記載の保温具。
【請求項８】
前記ポケットは、上側布片および下側布片を有し、
前記上側布片は、下端側を除く周縁部が前記前面部の表面に接続され、
前記下側布片は、上端側を除く周縁部が前記前面部の表面に接続され、
前記上側布片の下側端部が前記下側布片の上側端部上に重なるように形成され、この重なり部の間を通じて前記発熱体の出し入れが可能であるとともに前記発熱体の当該ポケットからの脱落を防ぐように形成されている、請求項２ないし７のいずれかに記載の保温具。
【請求項９】
前記可撓性の布は、炭酸カルシウムおよびポリプロピレンを含む不織布からなる、ことを特徴とする請求項２ないし８のいずれかに記載の保温具。
【請求項１０】
前記可撓性の布は、黄色、オレンジなどの暖色を有する、ことを特徴とする請求項２ないし９のいずれかに記載の保温具。
【請求項１１】
ポケットに発熱体を収容する、請求項２ないし１０のいずれかに記載の保温具と、
所定の大きさに折り畳まれた保温具を収容する袋と、を有し、
前記保温具は、前記発熱体が発熱するのを防ぐために、前記袋により真空パックされている、ことを特徴とする保温キット。
【請求項１２】
前記袋内に収容された、人体に装着された前記保温具を当該人体に固定するための紐部材をさらに有することを特徴とする請求項１又は１１に記載の保温キット。
【請求項１３】
あらかじめ真空パックされた発熱体を袋から取り出し、
請求項１ないし１０のいずれかに記載の保温具のポケットに前記発熱体を入れ、
前記保温具を所定の大きさに折り畳んで袋に収容し、
前記袋内の空気を真空引きし、
当該袋の口を密封する、
ことを特徴とする保温キットの製造方法。
【請求項１４】
請求項１、１１または１２に記載の保温キットの袋を裂いてポケット内の発熱体を発熱させつつ、保温キットの保温具を人体の頭部から被せ、当該頭部をネック部に通すとともに、当該人体の腕をアーム部に通すことにより、当該人体を保温することを特徴とする保温方法。
【請求項１５】
請求項１２に記載の保温キットの袋内の紐部材で前記保温具を装着した人体の当該保温具の上から縛ることで、当該保温具内の暖められた空気が外部に逃げるのを防ぐ、ことを特徴とする請求項１２に記載の保温方法。
【発明の詳細な説明】
【技術分野】
【０００１】
本発明は、災害時、遭難時、停電や灯油／燃料切れで暖房が使えない時などの緊急時に体温低下を防ぐための保温具、保温キット、保温キットの製造方法および保温方法に関する。
【背景技術】
【０００２】
災害、高地や雪による遭難、事故による外傷などの緊急時における体温低下は予後を大きく左右する。体温低下に伴い出血が助長され、のちには逆に血栓の原因をつくることになる。十分な保温が出血や後の血栓症の予防を可能にする。すなわち、災害のときや大きな怪我をしたときなどは、体温を維持することが非常に重要である。
たとえば、特許文献１は、衣類の適所に携帯用カイロを貼り付けて効果的な保温する方法を提案している。
【先行技術文献】
【特許文献】
【０００３】
【特許文献１】特開２００９−１８５４３３号公報
【発明の概要】
【発明が解決しようとする課題】
【０００４】
しかしながら、従来の保温方法では、緊急時に携帯用カイロを貼り付けるのは容易ではなく、また、基本的には、携帯用カイロの熱で体を加熱するだけであるので、保温効果が十分とはいえない。
特に、災害や、高地や雪による遭難で外傷を受けた状態では、救助されるまでに長時間を要し、その間に自分で体温を維持できる体力が急激に低下してしまうため、より長時間効果的に保温できる方法が必要であった。十分に保温されて病院に到着することで、被災者等の生存率は飛躍的に高まり、後の合併疾患が減少する。【０００５】
本発明は、上記課題に鑑みてなされたものであって、その目的は、災害や遭難等の緊急時に、人体をより効果的に長時間保温可能な保温具を提供することにある。
本発明の他の目的は、上記の保温具を含み携行が容易で、緊急時に速やかに使用できる保温キットおよびその製造方法を提供することにある。
さらに、本発明の他の目的は、災害や遭難等の緊急時に、保温キットを使用して人体をより効果的に長時間保温する保温方法を提供することにある。
【課題を解決するための手段】
【０００６】
本発明の保温具は、可撓性の布から形成された前面部および背面部を有し、
前記前面部および背面部の周縁部のうち、上端部および両側端部が接続されることにより下端部側で開口した袋状の保温具であって、
前記上端部の中央部には、人体の頭部が貫通できる大きさに形成されたネック部を有し、
前記両側端部の上部側には、人体の腕が貫通できるように形成されたアーム部を有し、
前記前面部の表面には、空気に触れると発熱する発熱体を保持するためのポケットを複数有する、ことを特徴とする。【０００７】
好適には、前記ネック部は、前記前面部および背面部の直線状の上端部間にスリット状に形成されている、ことを特徴とする。【０００８】
好適には、前記アーム部に接続され、人体の腕の前記アーム部から突出する部分を覆うための筒状の袖部をさらに有することを特徴とする。【０００９】
好適には、前記保温具は、標準体型の人体（身長１７０ｃｍ程度、体重６０ｋｇ程度を仮定）に装着された状態で、当該人体の両膝を少なくとも被覆可能な寸法を有する。【００１０】
好適には、前記複数のポケットは、前記前面部の表面にのみ形成され、前記背面部には形成されていない、ことを特徴とする。【００１１】
さらに好適には、前記複数のポケットは、
（１）前記発熱体を人体の腋窩付近に配置するために形成されたポケット、
（２）前記発熱体を人体の鼠径部から大腿部付近に配置するために形成されたポケット、
（３）前記発熱体を人体の腹部付近に配置するために形成されたポケット、の少なくともいずれかを含むことを特徴とする。【００１２】
さらに好適には、前記前面部のポケット形成位置には、前記発熱体からの熱の前記保温具内部への取り込みを促すための穴が形成されている、ことを特徴とする。【００１３】
好適には、前記ポケットは、上側布片および下側布片を有し、
前記上側布片は、下端側を除く周縁部が前記前面部の表面に接続され、
前記下側布片は、上端側を除く周縁部が前記前面部の表面に接続され、
前記上側布片の下側端部が前記下側布片の上側端部上に重なるように形成され、この重なり部の間を通じて前記発熱体の出し入れが可能であるとともに前記発熱体の当該ポケットからの脱落を防ぐように形成されている。【００１４】
本発明の保温キットは、
ポケットに発熱体を収容する、上記した保温具と、
所定の大きさに折り畳まれた保温具を収容する袋と、を有し、
前記保温具は、前記発熱体が発熱するのを防ぐために、前記袋により真空パックされている、ことを特徴とする。【００１５】
好適には、前記袋内に収容された、人体に装着された前記保温具を当該人体に固定するための紐部材をさらに有する。【００１６】
本発明の保温キットの製造方法は、あらかじめ真空パックされた発熱体を袋から取り出し、
上記した保温具のポケットに前記発熱体を入れ、
前記保温具を所定の大きさに折り畳んで袋に収容し、
前記袋内の空気を真空引きし、
当該袋の口を密封する、ことを特徴とする。【００１７】
本発明の保温方法は、上記の保温キットの袋を裂いてポケット内の発熱体を発熱させつつ、保温キットの保温具を人体の頭部から被せ、当該頭部をネック部に通すとともに、当該人体の腕をアーム部に通すことにより、当該人体を保温することを特徴とする。【００１８】
好適には、本発明の保温方法は、保温キットの袋内の紐部材で前記保温具を装着した人体の当該保温具の上から縛ることで、当該保温具内の暖められた空気が外部に逃げるのを防ぐ、ことを特徴とする。
【発明の効果】
【００１９】
本発明者は、救命医としての経験から、最も効率よく長時間人体を保温する保温具および保温キットを考案した。
生体は恒常性の維持のための多くの機構を持っており、体温を一定に保つが、恒常性の維持が困難なほどの寒さによる低体温状態や外傷などによるこれらの機構の破綻による低体温状態となった場合には恒常性を維持できない。このような場合にも、本発明の保温具を人体に装着させることで、発熱体の熱で効率よく体温を上げることができるとともに、本発明の保温具によれば、暖められた空気を保温具内から流出するのを可能な限る抑制できるので、効率よく長時間人体を保温可能となる。
さらに、本発明の保温具は、体に衣類のように装着した状態で使用者は動くことができるので、血栓症の予防に大きく役立つ。
【図面の簡単な説明】
【００２０】
【図１】本発明の一実施形態に係る保温具の正面図。
【図２】図１の保温具の背面図。
【図３Ａ】ネック部の構造を示す拡大正面図。
【図３Ｂ】ネック部を上方から見た拡大図。
【図４】ポケット部の構造を示す平面図。
【図５】ポケット部のさらなる構造を示す平面図。
【図６】携帯用カイロの外観図。
【図７】本発明の一実施形態に係る保温キットの外観図。
【図８】保温具の使用例を示す図。
【図９】紐部材の使用例を示す図。
【発明を実施するための形態】
【００２１】
本発明の実施形態について図面を参照しつつ詳細に説明する。
図１および図２は、本発明の一実施形態に係る保温具の構造を示す図である。保温具１は、可撓性の布から形成された、外形が四角形状の前面部３および背面部４を有する。前面部３および背面部４は、略同じ寸法を有する。
前面部３および背面部４の周縁部のうち、上端部３ｔ，４ｔおよび両側端部３ｓ，４ｓは、縫い合わされており、保温具１は、前面部３および背面部４の下端部３ｂ、４ｂ側で開口する袋状に形成されている。
上端部３ｔ，４ｔの中央部には、人体の頭部が貫通できる大きさのネック部１Ａが形成されている。
ネック部１Ａは、上端部３ｔ，４ｔの中央部を部分的に縫い合わせないことにより形成されている。具体的には、ネック部１Ａは、図３Ａ、３Ｂに示すように、前面部３および背面部４の上端部３ｔ，４ｔ間に直線状に形成されている。ネック部１Ａは、直線状で、かつ、図３Ｂに示すようなスリット状の隙間で形成されているので、頭部が貫通するときは隙間が広がるが、頭部が貫通したのちは、ネック部１Ａは閉じようとする。このため、袋状の保温具１内に蓄えられる暖かい空気が外部に逃げにくい。
【００２２】
保温具１は、前面部３および背面部４の両側端部３ｓ，４ｓの上部側に、人体の腕が貫通できるように形成されたアーム部１Ｂを有する。このアーム部１Ｂは、ネック部１Ａの両側端部３ｓ，４ｓの上部側を部分的に縫い合わせないことにより形成されている。
保温具１は、前面部３および背面部４の両側端部３ｓ，４ｓの下部側に、スリット１Ｃを有する。このスリット１Ｃは、両側端部３ｓ，４ｓの下部側を部分的に縫い合わせないことにより形成されている。スリット１Ｃは、保温具１を使用者の体に装着した際に、使用者の歩きやすさを確保するために設けられている。
保温具１は、両方のアーム部１Ｂにそれぞれ接続された筒状の袖部１０をさらに有する。袖部１０は、使用者の腕の、アーム部１Ｂから突出した部分を覆うために設けられている。
【００２３】
保温具１は、たとえば、ポリプロピレン８０％および炭酸カルシウム２０％からなる厚手の不織布で形成されている。災害時、遭難時等に発見が容易な黄色やオレンジ色などの暖色を有することが好ましい。本実施形態では、黄色とした。本実施形態では、前面部３や背面部４は、保温性を高めるため、それぞれ不織布を２枚重ねて形成されているが、これに限定されるわけではない。
【００２４】
保温具１の前面部の表面には、後述する携帯カイロ１００を保持するための複数のポケット部６（６Ａ〜６Ｈ）が設けられている。携帯カイロ１００は、空気に触れると一定時間の間発熱する発熱体である。ポケット部６（６Ａ〜６Ｈ）は、背面部４には設けられていない。使用者が、背もたれにもたれかかる、横になって寝る際に、背中をやけどするのを予防し、また、背側の携帯カイロ１００による凹凸に起因する違和感をなくすためである。
複数のポケット部６（６Ａ〜６Ｈ）の具体的な配置については後述する。ここでは、ポケット部６の構造について説明する。
図４に示すように、ポケット部６は、矩形形状の上側布片６１および下側布片６２で構成されている。上側布片６１は、上端部および両側部の３方が前面部３に縫い付けられ、下側布片６２は、下端部および両側部の３方が前面部３に縫い付けられている。上側布片６１は、その下端部で下側布片６２の上端部分と重なり部６３が形成されるように、下側布片６２上に部分的に重ねられている。上側布片６１と下側布片６２との間に重なり部６３において形成される開口が携帯カイロ１００の出し入れ口６４となる。出し入れ口６４は常時開いているので、出し入れ口６４を拡げれば、携帯カイロ１００をポケット部６に収容し、あるいは、ポケット部６から取り出しが容易にできる。重なり部６３を設けたことで、携帯カイロ１００のポケット部６からの脱落を確実に防止できる。
図５にポケット部６の内部構造を示す。前面部３のポケット部６が配置された部分には、２つの穴３Ｈ１，３Ｈ２が形成されている。穴３Ｈ１，３Ｈ２は、携帯カイロ１００からの熱の保温具１の内部への取り込みを促すために設けられている。穴３Ｈ１，３Ｈ２の寸法は適宜調整できる。穴の数もこれに限定されるわけではなく、適宜変更できる。
【００２５】
図６に携帯カイロ１００の一例を示す。
携帯カイロ１００は、鉄粉と、水、水分調整用の無機粉末、活性炭、塩類等の組成物１１０を、紙製、樹脂製袋等の包装物１０１に収容し、外周縁部１０１ｓが封止されている。具体的な市販品として、ホッカイロ（株式会社  白元社の登録商標）等に類する発熱体である。携帯カイロ１００は、使用前は、図示しないプラスチックフィルム製の袋に真空パックされており、この袋から携帯カイロ１００を取り出すと、鉄粉が空気に触れて酸化することにより発熱する。一般的には、数十℃の温度で１２時間程度、発熱が継続するように製造されている。なお、市販の携帯カイロ以外にも、専用の携帯カイロを使用することも可能である。
【００２６】
図７に本発明の一実施形態に係る保温キットの外観図を示す。
保温キット２００は、プラスチックフィルム製の袋２０１に所定の大きさに折り畳まれた保温具１および紐部材３００が収容され、袋２０１の開口２０２を除く外周部２０３はシールされている。加えて、袋２０１は、保温具１に保持された未使用の携帯カイロ１００が空気に触れないようにするため、内部の空気が抜かれ開口側のシール部２０４で密封されている。すなわち、袋２０１は、保温具１を真空パックしている。
あらかじめ真空パックされた携帯カイロ１００を袋から取り出して、できるだけ空気に触れないように保温具１のポケット部６Ａ〜６Ｈにそれぞれ収容し、この保温具１を所定寸法に折り畳み、袋２０１に入れて真空パックする。
袋２０１は、空気の侵入を確実に防ぐために、多層構造のプラスチックフィルムを使用している。
紐部材３００は、例えば、２ｍ程度の麻紐であり、人体に装着された保温具１を当該人体に固定するために袋２０１に同封されている。たとえば、肩を動かしやすくするために襷掛けにする、足元から暖かい空気が出ていくのを防ぐために、お腹付近でベルトとして使用する等、ユーザが保温具１をより効果的に使用するのを助ける。
【００２７】
図８にユーザが保温具１を装着した状態を示す。なお、本来、ユーザは衣服を身に着けているが、説明の便宜上、図示していない。また、ユーザの身長１７０ｃｍ程度で普通体型と仮定している。
ユーザは体温低下を避けたい場合、保温キット２００の袋２０１から保温具１を取り出す。袋２０１から取り出した保温具１に保持された携帯カイロ１００は空気に触れることにより、発熱を開始する。ユーザは、袋状の保温具１を頭部から被り、頭部をネック部１Ａから外に出すとともに、アーム部１Ｂを通じて両腕を袖部１０に通す。
図８に示すように、保温具１は、ユーザが直立した状態で、肩から足首付近までを被覆する程度の縦方向の寸法を有し、横方向は標準体型であれば十分な余裕がある寸法を有する。袖部１０は、指先まで達する長さを有し、アーム部１Ｂおよび袖部１０から暖かい空気が逃げるのを防いでいる。
【００２８】
図８に示すように、ポケット部６Ａ，６Ｃは、人体の腋窩部５０１Ａ，５０１Ｂに配置される。
ポケット部６Ｂは、胸部５０２に配置される。
ポケット部６Ｄ〜Ｆは、骨や大きな筋肉がなく臓器を直接温め易い腹部５０３に配置される。
ポケット部６Ｇ、６Ｈは、鼠径部〜大腿部５０４Ａ，５０４Ｂに配置される。
効率よく体を温めるには、体表に近い動脈のある部位を温めることである。代表的なのは頚動脈のある首、腋窩動脈のある両脇、大腿動脈のある鼠径部から大腿内側である。このため、本実施形態では、首を除く、４箇所（両方の腋窩部（両脇）および両方の鼠径部〜大腿部）にポケット部６が配置されるようにして、携帯カイロ１００で効率よく体を温めることができるようにしている。
すなわち、携帯カイロ１００を、腋窩部５０１Ａ，５０１Ｂに配置することで両手を温めやすくし、鼠径部〜大腿部５０４Ａ，５０４Ｂに配置することで両足を温めやすくする。
また、携帯カイロ１００を腹部５０３の３か所に配置することで、腹腔内の臓器の温度低下を防ぐ。
胸部５０２の真ん中のポケット部６Ｂに配置される携帯カイロ１００は心臓の近くの胸部であり、体を温める効果は比較的すくないが、精神的効果を期待できる。すなわち、現実にはさほど保温はされないものの、使用者は精神的には保温されていると感じる。
【００２９】
本実施形態に係る保温具１によれば、ネック部１Ａを上記構造とするとともに、袖部１０を設けたことで、首や腕の部分から温められた空気をサイズに余裕のある保温具１内に閉じ込めて外部に逃げにくくしているので、非常に効果的な保温が可能となる。
【００３０】
図９に示すように、紐部材３００をベルトの代わりに使用して、使用者の腰部に保温具１に密着させれば、保温具１の下側の開口から温められた空気が逃げにくくなり、さらに効果的な保温が可能となる。
紐部材３００を使用して使用者が動きやすくすることで、動くことが保温につながる。
【００３１】
保温キット２００の袋２０１から取り出したのち、携帯カイロ１００が発熱しなくなった場合には、新たな携帯カイロ１００に交換することで、さらに長時間の保温が可能となる。
保温具１は、携帯カイロ１００を新たに交換することで、何度でも使用できる。
【００３２】
災害時や大きな怪我をしたときなどは、体温を維持することがとても重要であるが、従来の保温方法では、自分で体温を維持できる体力がある上で、短時間の保温しかできなかった。実際は、体力と体温の両方がなくなっていくので、本実施形態の保温方法によれば、長時間効率的な保温を可能としつつ、使用者が動きやすくすることで、体力の低下を抑えることができる。このため、使用者は、十分に保温されて病院に到着することで命が助かる。十分に保温されて避難することで、後の合併疾患が減少する。
【００３３】
上記実施形態では、人体として、身長１７０ｃｍ程度、体重６０ｋｇで標準体型に適用できる保温具を例に挙げたが、これに限定されるわけではなく、年齢、体型、性別等に応じた寸法の保温具を作製することができる。
【００３４】
上記実施形態では、災害や遭難などの場合を本発明の適用例に挙げたが、これらに限定されるわけではなく、本発明は体温低下を防ぐあらゆる場面に適用可能である。
【符号の説明】
【００３５】
１  保温具
１Ａ  ネック部
１Ｂ  アーム部
１Ｃ  スリット
３  前面部
４  背面部
６，６Ａ〜６Ｈ  ポケット部
１０  袖部
１００  携帯カイロ（発熱体）
１０１  包装物
１１０  鉄粉
２００  保温キット
２０１  袋
３００  紐部材
５０１Ａ，５０１Ｂ  腋窩部
５０２  胸部
５０３  腹部
５０４Ａ，５０４Ｂ  鼠径部〜大腿部
【要約】
【課題】災害や遭難等の緊急時に、人体をより効果的に長時間保温可能な保温具を提供する。
【解決手段】  可撓性の布から形成された前面部（３）および背面部（４）を有し、前面部（３）および背面部（４）の周縁部のうち、上端部（３ｔ，４ｔ）および両側端部（３ｓ，４ｓ）が接続されることにより下端部側（３ｂ，４ｂ）で開口した袋状の保温具（１）であって、上端部（３ｔ，４ｔ）の中央部には、人体の頭部が貫通できる大きさに形成されたネック部（１Ａ）を有し、両側端部（３ｓ，４ｓ）の上部側には、人体の腕が貫通できるように形成されたアーム部（１Ｂ）を有し、
前記前面部の表面には、空気に触れると発熱する発熱体（１００）を保持するためのポケット（６Ａ〜６Ｈ）を有する。
【選択図】図１【図１】
0006024029.tif 000002
【図２】
0006024029.tif 000003
【図３Ａ】
0006024029.tif 000004
【図３Ｂ】
0006024029.tif 000005
【図４】
0006024029.tif 000006
【図５】
0006024029.tif 000007
【図６】
0006024029.tif 000008
【図７】
0006024029.tif 000009
【図８】
0006024029.tif 000010
【図９】
0006024029.tif 000011